【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
不織繊維構造を製造するためのメルトブローシステムであって、
複数の繊維を受け取るように配置された表面を有するコレクタと、
約５００以下のメルトフローインデックスを有する第１の供給液体ポリマーに流体連通する第１のダイと、を含み、第１のダイは、コレクタの表面に対向する複数の紡糸ノズルを含み、第１のダイは、それぞれのノズルを囲む個別の同心空気噴流を備えたノズルを含む同心空気型の構成を備え、第１のダイは、不織繊維構造に強度を付与する大きさの繊維径を有する第１の複数の繊維を引き出すように構成されており、
約５００以上のメルトフローインデックスを有する第２の供給液体ポリマーに流体連通する第２のダイをさらに含み、第２のダイは、第１のダイの紡糸ノズルよりも小さいキャピラリー直径を有する複数の紡糸ノズルを含み、第２のダイは、約１０μｍよりも小さい繊維径を有する第２の複数の繊維を引き出し、第１の複数の繊維と第２の複数の繊維とがコレクタの表面上に混繊不織ウェブを形成するように配置され、繊維からなる混繊不織ウェブは、様々な繊維径を有し、第１の複数の繊維は、第２の複数の繊維よりも大きい平均直径を有しており、
コレクタの表面上の混繊不織ウェブに任意選択で第３の材料を導入するように配置された任意選択の適用装置をさらに含む、ことを特徴とするメルトブローシステム。
【請求項２】
第１のダイは、最大で約３０μｍの繊維径を有する第１の複数の繊維を引き出すように構成されることを特徴とする請求項１に記載のメルトブローシステム。
【請求項３】
第２のダイは、それぞれのノズルを囲む個別の同心空気噴流を備えたノズルを含む同心空気型ダイであるか、または、ダイ先端部の両側からの空気流が衝突する単列キャピラリー型ダイであることを特徴とする請求項１に記載のメルトブローシステム。
【請求項４】
第１のダイは、約５００μｍから約８５０μｍの範囲のキャピラリー直径を有する紡糸ノズルを有し、第２のダイは、約１００μｍから約５００μｍの範囲のキャピラリー直径を有する紡糸ノズルを有することを特徴とする請求項１に記載のメルトブローシステム。
【請求項５】
第１の供給液体ポリマーは、第２の供給液体ポリマーと同じポリマー種であり、第１の供給液体ポリマーの融液流動粘度は、第２の供給液体ポリマーの融液流動粘度と異なることを特徴とする請求項１に記載のメルトブローシステム。
【請求項６】
第１の供給液体ポリマーは、第２の供給液体ポリマーと異なるポリマー種であることを特徴とする請求項１に記載のメルトブローシステム。
【請求項７】
第２の供給液体ポリマーは、第１のポリオレフィンポリマーを含み、第１の供給液体ポリマーは、ポリアミド、ポリエステル、エラストマー、第２のポリオレフィン、及びこれらの組合せのうちの少なくとも１つを含むことを特徴とする請求項１に記載のメルトブローシステム。
【請求項８】
第２の供給液体ポリマーは、ポリプロピレンを含み、第１の液体供給ポリマーは、ポリブチレンテレフタレートを含むことを特徴とする請求項１に記載のメルトブローシステム。
【請求項９】
第３の材料は、粒子材料、繊維材料、複数のカプセル、及びこれらの組合せからなるグループから選択されることを特徴とする請求項１に記載のメルトブローシステム。
【請求項１０】
第３の材料は、複数の繊維を含むカーディングされたウェブもしくは繊維構造、フィルム状材料、または紙であることを特徴とする請求項１に記載のメルトブローシステム。
【請求項１１】
不織繊維構造を製造するためのメルトブローシステムであって、
混繊ウェブを形成するように構成可能な第１のダイを含み、第１のダイは、個別の同心空気噴流を伴うノズルを備えた複数列同心空気型ダイであり、第１のダイは、第１の融液粘度を有する第１のポリマーを含む第１の繊維を引き出すように構成され、
混繊ウェブを形成するように構成可能な第２のダイをさらに含み、第２のダイは、個別の同心空気噴流を伴うノズルを備えた複数列同心空気型ダイであり、第２のダイは、第２の融液粘度を有する第２のポリマーを含む第２の繊維を引き出すように構成され、
第１の繊維及び第２の繊維を受け取るように配置されたコレクタと、
混繊ウェブに第３の材料を任意選択で導入する任意選択の適用装置と、をさらに含んでおり、
第２のダイは、複数列のキャピラリーを含み、それぞれのキャピラリーは、約１００μｍから約５００μｍの範囲の直径を有し、第１のダイは、複数列のキャピラリーを含み、それぞれのキャピラリーは、約５００μｍから約８５０μｍの範囲の直径を有する、ことを特徴とするメルトブローシステム。
【請求項１２】
約５００以下のメルトフローインデックスを有するポリマーからなる第１の複数の繊維、及び、約５００以上のメルトフローインデックスを有するポリマーからなる第２の複数の繊維を含み、第１の複数の繊維は、不織繊維構造に強度を付与する大きさの繊維径を有し、第２の複数の繊維は、約１０μｍよりも小さい繊維径を有し、第１の複数の繊維は、第２の複数の繊維よりも大きい平均繊維径を有している、直径の異なる複数の混繊メルトブロー繊維を含む不織繊維構造。
【請求項１３】
第１の複数の繊維は、最大で約３０μｍの繊維径を有していることを特徴とする請求項１２に記載の不織繊維構造。
【請求項１４】
第２のポリマーは、第１のポリオレフィンポリマーを含み、第１のポリマーは、ポリアミド、ポリエステル、エラストマー、第２のポリオレフィン、及びこれらの組合せのうちの少なくとも１つを含むことを特徴とする請求項１２に記載の不織繊維構造。
【請求項１５】
第２のポリマーは、ポリプロピレンを含み、第１のポリマーは、ポリブチレンテレフタレートを含むことを特徴とする請求項１２に記載の不織繊維構造。
【請求項１６】
プリーツ加工または成形されたフィルター媒質の形をなすことを特徴とする請求項１２に記載の不織繊維構造。
【請求項１７】
混繊メルトブロー繊維の不織繊維構造を形成する方法であって、
第１の液体ポリマー及び第２の液体ポリマーを請求項１から１０のいずれか１項に記載のメルトブローシステムに導入するステップと、
第１のダイから第１の複数の繊維を引き出すステップと、
第２のダイから第２の複数の繊維を引き出すステップと、
混繊メルトブロー繊維構造を形成するために、第１の複数の繊維及び第２の複数の繊維をコレクタの表面上に収集するステップと、を含み、
混繊メルトブロー繊維構造は、約５００以下のメルトフローインデックスを有するポリマーからなる第１の複数の繊維、及び、約５００以上のメルトフローインデックスを有するポリマーからなる第２の複数の繊維を含み、第１の複数の繊維は、不織繊維構造に強度を付与する大きさの繊維径を有し、第２の複数の繊維は、約１０μｍよりも小さい繊維径を有し、第１の複数の繊維は、第２の複数の繊維よりも大きい平均繊維径を有している、ことを特徴とする方法。
【請求項１８】
第１の複数の繊維は、最大で約３０μｍの繊維径を有していることを特徴とする請求項１７に記載の方法。
【請求項１９】
不織繊維構造は、プリーツ加工可能または成形可能であることを特徴とする請求項１７に記載の方法。
【手続補正２】
【補正対象書類名】明細書
【補正対象項目名】００１１
【補正方法】変更
【補正の内容】
【００１１】
本発明の様々な実施形態において、不織繊維構造を製造するためのメルトブローシステムが提供される。このシステムは、複数の繊維を受け取るように配置された表面を有するコレクタ、及び、約５００以下のメルトフローインデックスを有する第１の供給液体ポリマーに流体連通する第１のダイを含むものであってもよい。第１のダイは、コレクタの表面に対向する複数の紡糸ノズルを含む。第１のダイは、それぞれのノズルを囲む個別の同心空気噴流を備えたノズルを含む同心空気型の構成を備える。第１のダイは、約３０μｍよりも小さい繊維径を有する第１の複数の繊維を引き出すように構成される。このシステムは、約５００以上のメルトフローインデックスを有する第２の供給液体ポリマーに流体連通する第２のダイを含むものであってもよい。第２のダイは、第１のダイの紡糸ノズルよりも小さいキャピラリー直径を有する複数の紡糸ノズルを含む。第２のダイは、約１０μｍよりも小さい繊維径を有する第２の複数の繊維を引き出し、第１の複数の繊維と第２の複数の繊維とがコレクタの表面上に混繊不織ウェブを形成するように配置される。繊維からなる混繊不織ウェブは、様々な繊維径を有し、第１の複数の繊維は、第２の複数の繊維よりも大きい平均直径を有している。このシステムは、コレクタの表面上の混繊不織ウェブに任意選択で第３の材料を導入するように配置された任意選択の適用装置をさらに含むものであってもよい。
【手続補正３】
【補正対象書類名】明細書
【補正対象項目名】００１５
【補正方法】変更
【補正の内容】
【００１５】
直径の異なる複数の混繊メルトブロー繊維を含む不織繊維構造も提供される。この不織繊維構造は、約５００以下のメルトフローインデックスを有するポリマーからなる第１の複数の繊維、及び、約５００以上のメルトフローインデックスを有するポリマーからなる第２の複数の繊維を含むものであってもよい。第２の複数の繊維は、約１０μｍよりも小さい繊維径を有するものであってもよく、第１の複数の繊維は、第２の複数の繊維よりも大きい平均繊維径を有するものであってもよい。幾つかの実施形態において、第２のポリマーは、第１のポリオレフィンポリマーを含むものであってもよく、第１のポリマーは、ポリアミド、ポリエステル、エラストマー、第２のポリオレフィン、及びこれらの組合せのうちの少なくとも１つを含むものであってもよい。例えば、第２のポリマーは、ポリプロピレンを含むものであってもよく、第１のポリマーは、ポリブチレンテレフタレートを含むものであってもよい。様々な実施形態において、この不織繊維構造は、プリーツ加工または成形されたフィルター媒質の形をなすものであってもよい。
【手続補正４】
【補正対象書類名】明細書
【補正対象項目名】００１６
【補正方法】変更
【補正の内容】
【００１６】
混繊メルトブロー繊維の不織繊維構造を形成する方法も提供される。この方法は、第１の液体ポリマー及び第２の液体ポリマーを本明細書に記載されるメルトブローシステムに導入するステップと、第１のダイから第１の複数の繊維を引き出すステップと、第２のダイから第２の複数の繊維を引き出すステップと、混繊メルトブロー繊維構造を形成するために、第１の複数の繊維及び第２の複数の繊維をコレクタの表面上に収集するステップとを含むものであってもよい。混繊メルトブロー繊維構造は、約５００以下のメルトフローインデックスを有するポリマーからなる第１の複数の繊維、及び、約５００以上のメルトフローインデックスを有するポリマーからなる第２の複数の繊維を含むものであってもよい。第２の複数の繊維は、約１０μｍよりも小さい繊維径を有し、第１の複数の繊維は、第２の複数の繊維よりも大きい平均繊維径を有するものである。幾つかの実施形態において、この不織繊維構造は、プリーツ加工可能または成形可能なものであってもよい。
【手続補正５】
【補正対象書類名】明細書
【補正対象項目名】００１７
【補正方法】変更
【補正の内容】
【００１７】
本発明は、以下の実施形態を含むが、これらによって限定されるものではない。
〔実施形態１〕
不織繊維構造を製造するためのメルトブローシステムであって、複数の繊維を受け取るように配置された表面を有するコレクタと、約５００以下のメルトフローインデックスを有する第１の供給液体ポリマーに流体連通する第１のダイと、を含み、第１のダイは、コレクタの表面に対向する複数の紡糸ノズルを含み、第１のダイは、それぞれのノズルを囲む個別の同心空気噴流を備えたノズルを含む同心空気型の構成を備え、第１のダイは、約３０μｍよりも小さい繊維径を有する第１の複数の繊維を引き出すように構成されており、約５００以上のメルトフローインデックスを有する第２の供給液体ポリマーに流体連通する第２のダイをさらに含み、第２のダイは、第１のダイの紡糸ノズルよりも小さいキャピラリー直径を有する複数の紡糸ノズルを含み、第２のダイは、約１０μｍよりも小さい繊維径を有する第２の複数の繊維を引き出し、第１の複数の繊維と第２の複数の繊維とがコレクタの表面上に混繊不織ウェブを形成するように配置され、繊維からなる混繊不織ウェブは、様々な繊維径を有し、第１の複数の繊維は、第２の複数の繊維よりも大きい平均直径を有しており、コレクタの表面上の混繊不織ウェブに任意選択で第３の材料を導入するように配置された任意選択の適用装置をさらに含む、ことを特徴とするメルトブローシステム。
【手続補正６】
【補正対象書類名】明細書
【補正対象項目名】００２６
【補正方法】変更
【補正の内容】
【００２６】
〔実施形態１０〕
不織繊維構造を製造するためのメルトブローシステムであって、混繊ウェブを形成するように構成可能な第１のダイを含み、第１のダイは、個別の同心空気噴流を伴うノズルを備えた複数列同心空気型ダイであり、第１のダイは、第１の融液粘度を有する第１のポリマーを含む第１の繊維を引き出すように構成され、混繊ウェブを形成するように構成可能な第２のダイをさらに含み、第２のダイは、個別の同心空気噴流を伴うノズルを備えた複数列同心空気型ダイであり、第２のダイは、第２の融液粘度を有する第２のポリマーを含む第２の繊維を引き出すように構成され、第１の繊維及び第２の繊維を受け取るように配置されたコレクタと、混繊ウェブに第３の材料を任意選択で導入する任意選択の適用装置と、をさらに含んでおり、第２のダイは、複数列のキャピラリーを含み、それぞれのキャピラリーは、約１００μｍから約５００μｍの範囲の直径を有し、第１のダイは、複数列のキャピラリーを含み、それぞれのキャピラリーは、約５００μｍから約８５０μｍの範囲の直径を有する、ことを特徴とするメルトブローシステム。
【手続補正７】
【補正対象書類名】明細書
【補正対象項目名】００２７
【補正方法】変更
【補正の内容】
【００２７】
〔実施形態１１〕
任意の上述したまたは後述する不織繊維構造の実施形態において、約５００以下のメルトフローインデックスを有するポリマーからなる第１の複数の繊維、及び、約５００以上のメルトフローインデックスを有するポリマーからなる第２の複数の繊維を含み、第２の複数の繊維は、約１０μｍよりも小さい繊維径を有し、第１の複数の繊維は、第２の複数の繊維よりも大きい平均繊維径を有している、直径の異なる複数の混繊メルトブロー繊維を含む不織繊維構造。
【手続補正８】
【補正対象書類名】明細書
【補正対象項目名】００３１
【補正方法】変更
【補正の内容】
【００３１】
〔実施形態１５〕
混繊メルトブロー繊維の不織繊維構造を形成する方法であって、第１の液体ポリマー及び第２の液体ポリマーを本明細書に記載されたメルトブローシステムに導入するステップと、第１のダイから第１の複数の繊維を引き出すステップと、第２のダイから第２の複数の繊維を引き出すステップと、混繊メルトブロー繊維構造を形成するために、第１の複数の繊維及び第２の複数の繊維をコレクタの表面上に収集するステップと、を含み、混繊メルトブロー繊維構造は、約５００以下のメルトフローインデックスを有するポリマーからなる第１の複数の繊維、及び、約５００以上のメルトフローインデックスを有するポリマーからなる第２の複数の繊維を含み、第２の複数の繊維は、約１０μｍよりも小さい繊維径を有し、第１の複数の繊維は、第２の複数の繊維よりも大きい平均繊維径を有している、ことを特徴とする方法。
【手続補正９】
【補正対象書類名】明細書
【補正対象項目名】００３６
【補正方法】変更
【補正の内容】
【００３６】
幾つかの実施形態において、第１のダイは、第１のノズル寸法及び第１のノズル形状を有するものであってもよい。第２のダイは、第２のノズル寸法及び第２のノズル形状を有するものであってもよい。特定の実施形態において、第１のノズル寸法及び第１のノズル形状は、第２のノズル寸法及び第２のノズル形状と異なるものである。
【手続補正１０】
【補正対象書類名】明細書
【補正対象項目名】００６４
【補正方法】変更
【補正の内容】
【００６４】
本明細書に記載されたメルトブローシステムの様々な実施形態において、例えば図６に示すように、２つ以上のダイが、繊維間の混繊の度合いが変化するように配置されるものであってもよい。マルチダイ式メルトブローシステム６０は、第１のダイ６２及び第２のダイ６４を含むものであってもよい。例えば、第１のダイは、相対的に粗大な繊維を製造するように構成されるものであってもよく、また、第２のダイは、相対的に微細な繊維を製造するように構成されるものであってもよい。使用されるポリマーまたは製造される所望のメルトブロー繊維の種類（例えば、微細な繊維または粗大な繊維）に応じて、様々に異なる寸法のキャピラリーを有するダイを使用することができる。２つのダイの配置構成を変えることによって、２種の繊維の間の集束の度合いを制御することができる。第１の配置構成において、ダイ６２は、ダイ６２から低集束流Ａが供給されるように配置されるものであってもよい。集束の度合いが低い設定を使用すると、最初に第２のメルトブロー用ダイ６４からの繊維が形成面（例えば、ドラム形コレクタ６４）上に集積され、次いで、ダイ６２からの繊維が、第２のメルトブロー用ダイ６４からの繊維上に重ねられることになる。集束角度θを、２つのメルトブロー用ダイから来る２つの流れの間の角度として定義することができる。この低集束設定で使用される集束角度θは、例えば、約１５°から約２５°とすることができる。
【手続補正１１】
【補正対象書類名】明細書
【補正対象項目名】００６５
【補正方法】変更
【補正の内容】
【００６５】
第２の配置構成において、メルトブロー用ダイ６２は、ダイ６２から中集束流Ｂが供給されるように配置されるものであってもよい。中集束流Ｂは、第２のメルトブロー用ダイ６４から来る流れＤと、これらの流れがドラム形コレクタ６６に衝突する直前かまたはおおよそ衝突する位置において、部分的に混合される。この中集束流設定で使用される集束角度θは、例えば、約３５°から約４５°とすることができる。第３の配置構成において、メルトブロー用ダイ６２は、ダイ６２から高集束流Ｃが供給されるように配置されるものであってもよい。高集束流Ｃは、第２のメルトブロー用ダイ６４から来る流れＤと、これらの２つの流れがドラム形コレクタ６６の表面に衝突する前に空気中で混合され、それによって、２つの流れの間に多量の混繊が生じる。この高集束設定で使用される集束角度θは、例えば、約５０°から約６０°とすることができる。
【手続補正１２】
【補正対象書類名】明細書
【補正対象項目名】００７０
【補正方法】変更
【補正の内容】
【００７０】
本発明の様々な実施形態は、プリーツ加工可能／成形可能な単一層不織繊維構造を形成するための方法を説明するものである。方法の実施形態は、混繊ウェブを形成するための第１のダイ及び第２のダイを配置するステップを含む。第２のダイは、単列穿孔穴型ダイであり、ダイ先端部の両側からの衝突空気流が、第１の融液粘度を有する第１のポリマーを含む第１の繊維を引き出すように構成される。第１のダイは、個々の同心空気噴流を伴うノズルを備える同心空気型ダイである。第２のダイは、第２の融液粘度を有する第２のポリマーを含む第２の繊維を引き出すように構成される。上述したように、それぞれのダイの互いに対する位置及びコレクタに対する位置によって、押し出された繊維の混繊の度合いを制御することができる。
【手続補正１３】
【補正対象書類名】明細書
【補正対象項目名】００７１
【補正方法】変更
【補正の内容】
【００７１】
この方法は、さらに、第１の繊維及び第２の繊維を受け取るためのコレクタを配置するステップを含む。任意選択で、この方法は、任意選択で混繊ウェブ中に第３の材料を導入するように構成された適用装置を配置するステップを含むものであってもよい。ダイとコレクタとの間の距離は、ウェブの統合性の度合いが所望の程度に設定されるように調整可能である。例えば、この距離は、ウェブの２以上の層が混繊された後、約１０ｃｍから約５０ｃｍに調整されるものであってもよい。
【手続補正１４】
【補正対象書類名】明細書
【補正対象項目名】００７２
【補正方法】変更
【補正の内容】
【００７２】
好適な実施形態において、混繊されたメルトブロー繊維の不織繊維構造を形成する方法は、第１の液体ポリマー及び第２の液体ポリマーを、本明細書に記載されたメルトブローシステムに導入し、第１のダイから第１の複数の繊維を引き出し、第２のダイから第２の複数の繊維を引き出すステップを含むものであってもよい。この方法は、さらに、混繊メルトブロー繊維構造を形成するために、第１の複数の繊維及び第２の複数の繊維をコレクタの表面上に収集するステップを含むものであってもよい。混繊メルトブロー繊維構造は、例えば、約５００以下のメルトフローインデックスを有するポリマーから形成された第１の複数の繊維、及び、約５００以上のメルトフローインデックスを有するポリマーから形成された第２の複数の繊維を含むものであってもよい。第２の複数の繊維は、１０μｍよりも小さい繊維径を有し、但し、第１の複数の繊維は、第２の複数の繊維（例えば、約１μｍから約５μｍ）よりも大きな平均繊維径を有するものであってもよい。繊維径は、ＳＥＭ画像を使用した繊維の外観検査によって測定することができる。本明細書に記載した繊維径は、個別の繊維に関するものであり、より大きな直径が観測される繊維構造中の複数の繊維の凝集部に関するものではない。
【手続補正１５】
【補正対象書類名】明細書
【補正対象項目名】００７４
【補正方法】変更
【補正の内容】
【００７４】
様々な実施形態において、メルトブローシステムは、様々に異なる直径の混繊メルトブロー繊維を含むプリーツ加工可能／成形可能な単一層不織繊維構造を形成することができる。好適な実施形態において、様々に異なる直径の混繊メルトブロー繊維を含む不織繊維構造は、上述した方法及びシステムによって形成することができる。この不織繊維構造は、約５００以下のメルトフローインデックスを有するポリマーから形成された第１の複数の繊維、及び、約５００以上のメルトフローインデックスを有するポリマーから形成された第２の複数の繊維を含む。第２の複数の繊維は、約１０μｍよりも小さい繊維径を有し、但し、第１の複数の繊維は、第２の複数の繊維よりも大きい平均繊維径を有するものであってもよい。
【手続補正１６】
【補正対象書類名】明細書
【補正対象項目名】００８８
【補正方法】変更
【補正の内容】
【００８８】
例７
キャピラリーの寸法が異なる２つ以上の同種のダイを有することによって、微細繊維と粗大繊維の混繊繊維構造を形成することができる。好適な実施形態において、２つの同種のダイが使用される。この際、一方のダイは、２５．４ｍｍ（１インチ）当たり２０から３０個の５００から８５０μｍの範囲の直径を有するキャピラリーの単一の列を備えた単列衝突空気型の設計に基づき、第２のダイは、２５．４ｍｍ（１インチ）当たり３０から５０個の１００から５５０μｍの範囲の直径を有するキャピラリーを備えた単列キャピラリー型の設計に基づく。
【手続補正１７】
【補正対象書類名】明細書
【補正対象項目名】００８９
【補正方法】変更
【補正の内容】
【００８９】
例８−２２
例えば、図６に示すような、２つの同心空気型ダイを有するマルチダイ式メルトブローシステムを使用して、混繊メルトブロー繊維構造の例が製造された。マルチダイ式メルトブローシステム６０は、２つのメルトブロー用ダイを含む。第２のメルトブロー用ダイ６４は、２２８μｍの直径を備えるキャピラリーを有し、微細繊維を形成する。第１のダイ６２は、５０８μｍの直径を備えるキャピラリーを有し、粗大繊維を形成する。使用されるポリマー及び製造する所望の種類のメルトブロー繊維（例えば、微細繊維または粗大繊維）に応じて、異なる寸法のキャピラリーを有するダイを使用することもできる。
【手続補正１８】
【補正対象書類名】明細書
【補正対象項目名】００９２
【補正方法】変更
【補正の内容】
【００９２】
【表１】
2017519913.tif 000001
【手続補正１９】
【補正対象書類名】明細書
【補正対象項目名】００９８
【補正方法】変更
【補正の内容】
【００９８】
例２３−２８
図６に示して上述したような２つの同心空気型ダイを有するマルチダイ式メルトブローシステムを使用して、混繊メルトブロー繊維構造の例を製造した。
例２３−２８は、Ｌｙｏｎｄｅｌｌｂａｓｅｅｌｌ社から供給されている、５００のメルトフローレートを有するポリプロピレン樹脂のＭＥＴＯＣＥＮＥ（登録商標）ＭＦ６５０Ｗを含む。両方のダイに同じポリマーが使用された。０．１０２ｇｈｍの押出量を有する第１のダイによって供給される粗大繊維中に微細繊維を混繊させるために、第２のダイには０．０２３ｇｈｍの低い押出量が使用された。集束角度は、その詳細を上述したように変化させた。例８−２２２の詳細な製造条件は、以下の表３に示されている。
【手続補正２０】
【補正対象書類名】明細書
【補正対象項目名】００９９
【補正方法】変更
【補正の内容】
【００９９】
【表３】
2017519913.tif 000002
【手続補正２１】
【補正対象書類名】明細書
【補正対象項目名】０１０８
【補正方法】変更
【補正の内容】
【０１０８】
例３２−４２
図６に示して上述したような２つの同心空気型ダイを有するマルチダイ式メルトブローシステムを使用して、混繊メルトブロー繊維構造の例を製造した。
例３２−４２は、Ｌｙｏｎｄｅｌｌｂａｓｅｅｌｌ社から供給されている、５００のメルトフローレートを有するポリプロピレン樹脂のＭＥＴＯＣＥＮＥ（登録商標）ＭＦ６５０Ｗ、及び、ＤｕＰｏｎｔ社から供給されている、３３ｇ／１０分のメルトフローレートを有するポリブチレンテレフタレート（ＰＢＴ）樹脂のＣＲＡＳＴＩＮ（登録商標）ＦＧＳ６００Ｆ４０ＮＣ０１０を含む。粗大繊維流は、ＰＢＴを含むダイ１（例えば、図６のシステム６０におけるダイ６２）から射出され、微細繊維流は、ポリプロピレンを含むダイ２（例えば、図６のシステム６０におけるダイ６４）から射出される。例３２−４２の詳細な製造条件は、以下の表６に示されている。
【手続補正２２】
【補正対象書類名】明細書
【補正対象項目名】０１０９
【補正方法】変更
【補正の内容】
【０１０９】
【表６】
2017519913.tif 000003
【手続補正２３】
【補正対象書類名】明細書
【補正対象項目名】０１１８
【補正方法】変更
【補正の内容】
【０１１８】
【表８】
2017519913.tif 000004